(57)【要約】 【課題】  フェライトの損傷を防止する。【解決手段】  ハウジング２０には、電気的な信号を伝達可能な導電路を構成する端子金具１０が収容されるとともに、ノイズを低減または除去可能なフェライト４０が備えられる。ハウジング２０には、外部から組み付けられるフェライト４０を収容可能なフェライト収容室２５が後方へ開口して設けられている。ハウジング２０には、ヒンジ３１を介して抜け止め部材２９が連結されており、この抜け止め部材２９がフェライト収容室２５の収容室側に配されることで、フェライト４０を抜け止め可能とされる。ハウジング２０には、ロックアーム３２が設けられ、このロックアーム３２が抜け止め部材２９に設けられた被ロック部３３に係止することで、抜け止め部材２９がフェライト４０を抜け止めする保持位置にロックされる。【選択図】  図１３
2007005132.tif 000002
【特許請求の範囲】
【請求項１】
電気的な信号を伝達可能な導電路が通されるハウジングと、前記導電路に対するノイズを低減または除去可能な磁性体とを備えたコネクタにおいて、
前記ハウジングには、外部から組み付けられる前記磁性体を収容可能な磁性体収容室が設けられており、さらには前記磁性体を前記磁性体収容室に収容した状態に保持可能な保持手段が備えられていることを特徴とするコネクタ。
【請求項２】
前記保持手段は、前記磁性体収容室の収容口側に配されるとともに収容された前記磁性体を抜け止め可能な抜け止め部材と、この抜け止め部材を前記ハウジングに対してロック可能なロック手段とから構成されていることを特徴とする請求項１記載のコネクタ。
【請求項３】
前記抜け止め部材は、前記ハウジングに対してヒンジを介して連結されるとともに、前記磁性体収容室への前記磁性体の着脱を許容する退避位置と、収容された磁性体を抜け止めする保持位置との間で回動可能とされていることを特徴とする請求項２記載のコネクタ。
【請求項４】
前記ロック手段は、前記ハウジングまたは前記抜け止め部材のいずれか一方側に設けられるとともに弾性変形可能なロックアームと、他方側に設けられるとともに前記ロックアームが係止可能な被ロック部とから構成されており、
前記ハウジングに対して組み付け可能とされるとともに、その組み付けに伴って前記ロックアームの撓み空間に進入してその弾性変形動作を規制可能な撓み規制部材が備えられていることを特徴とする請求項２または請求項３記載のコネクタ。
【請求項５】
前記導電路は、少なくとも一部が前記ハウジング内に収容される端子金具により構成されており、
前記磁性体には、前記端子金具に設けられた係止部が係止されることで、端子金具を抜け止め状態に保持可能な被係止部が設けられていることを特徴とする請求項１ないし請求項４のいずれかに記載のコネクタ。
【発明の詳細な説明】
【技術分野】
【０００１】
本発明は、磁性体を備えたコネクタに関する。
【背景技術】
【０００２】
従来、ノイズを低減または除去することを目的として磁性体であるフェライトを備えたコネクタの一例が、下記特許文献１に記載されている。このものは、図２１に示すように、信号を伝達する導電路を構成する複数本の端子金具１と、各端子金具１が取り付けられる合成樹脂製のハウジング２と、端子金具１群に対して一括して装着されるフェライト３とから構成される。
この種のコネクタを製造するにあたっては、端子金具１、ハウジング２、フェライト３などの各部品を製造場所にて種類毎に袋詰めし、その状態で組付場所へ向けて搬送した後、各部品を組み付けるようにすることが一般的に行われている。
【特許文献１】特開平４−１０１３７４号公報
【発明の開示】
【発明が解決しようとする課題】
【０００３】
ところで、上記したようなコネクタに用いられるフェライト３は、一般にフェライト粉末を焼結させて製造したものが多く、この種のものは衝撃により損傷を受けやすくなっている。
従って、フェライト３を多数個袋詰めした状態で搬送しようとすると、搬送時に作用する衝撃によりフェライト３同士が干渉するなどして損傷を受ける可能性があった。かといって、フェライト３を個別に何らかの保護部材により覆うようにしたのではコスト高を招くなどの新たな問題が生じることになってしまう。
本発明は上記のような事情に基づいて完成されたものであって、フェライトの損傷を防止することを目的とする。
【課題を解決するための手段】
【０００４】
上記の目的を達成するための手段として、請求項１の発明は、電気的な信号を伝達可能な導電路が通されるハウジングと、前記導電路に対するノイズを低減または除去可能な磁性体とを備えたコネクタにおいて、前記ハウジングには、外部から組み付けられる前記磁性体を収容可能な磁性体収容室が設けられており、さらには前記磁性体を前記磁性体収容室に収容した状態に保持可能な保持手段が備えられている構成としたところに特徴を有する。
【０００５】
請求項２の発明は、請求項１に記載のものにおいて、前記保持手段は、前記磁性体収容室の収容口側に配されるとともに収容された前記磁性体を抜け止め可能な抜け止め部材と、この抜け止め部材を前記ハウジングに対してロック可能なロック手段とから構成されているところに特徴を有する。
【０００６】
請求項３の発明は、請求項２に記載のものにおいて、前記抜け止め部材は、前記ハウジングに対してヒンジを介して連結されるとともに、前記磁性体収容室への前記磁性体の着脱を許容する退避位置と、収容された磁性体を抜け止めする保持位置との間で回動可能とされているところに特徴を有する。
【０００７】
請求項４の発明は、請求項２または請求項３に記載のものにおいて、前記ロック手段は、前記ハウジングまたは前記抜け止め部材のいずれか一方側に設けられるとともに弾性変形可能なロックアームと、他方側に設けられるとともに前記ロックアームが係止可能な被ロック部とから構成されており、前記ハウジングに対して組み付け可能とされるとともに、その組み付けに伴って前記ロックアームの撓み空間に進入してその弾性変形動作を規制可能な撓み規制部材が備えられているところに特徴を有する。
【０００８】
請求項５の発明は、請求項１ないし請求項４のいずれかに記載のものにおいて、前記導電路は、少なくとも一部が前記ハウジング内に収容される端子金具により構成されており、前記磁性体には、前記端子金具に設けられた係止部が係止されることで、端子金具を抜け止め状態に保持可能な被係止部が設けられているところに特徴を有する。
【発明の効果】
【０００９】
＜請求項１の発明＞
ハウジングの磁性体収容室に外部から磁性体を組み付けて収容するとともに、その磁性体を保持手段により収容状態に保持することができるので、磁性体を搬送する際にもハウジングにより磁性体を保護することができ、もって搬送に伴う衝撃により磁性体が損傷を受けるのを防止することができる。またハウジングにより磁性体を保護しているので、仮に別途保護部材を用いたものと比較して例えば低コストとなる。
【００１０】
＜請求項２の発明＞
収容口を通して磁性体収容室に磁性体を収容してから抜け止め部材を収容口側に配するとともに、ロック手段により抜け止め部材をハウジングに対してロックすることで、磁性体が磁性体収容室から抜け止め状態に保持される。
【００１１】
＜請求項３の発明＞
組み付けにあたっては、抜け止め部材を退避位置に配した状態で磁性体を磁性体収容室に収容した後、抜け止め部材を保持位置まで回動させることで、収容された磁性体が保持される。抜け止め部材がヒンジを介してハウジングに連結されているので、作業性に優れる。
【００１２】
＜請求項４の発明＞
被ロック部に対してロックアームが係止することで、抜け止め部材がハウジングに対してロックされる。その状態でハウジングに対して撓み規制部材を組み付けると、撓み規制部材がロックアームの撓み空間に進入してその弾性変形動作を規制することができる。これにより、ロック手段のロック状態が不用意に解除されるのを防止することができる。
【００１３】
＜請求項５の発明＞
磁性体を収容した状態のハウジングに対して端子金具を収容すると、端子金具の係止部が磁性体の被係止部に係止することで、端子金具の抜け止めが図られる。
【発明を実施するための最良の形態】
【００１４】
＜実施形態＞
本発明の一実施形態を図１ないし図２０によって説明する。この実施形態では、自動車のエアバッグ回路に用いられるコネクタであって、磁性体としてフェライト４０を用いたものを例示する。
【００１５】
このコネクタは、図７に示すように、大まかには一対の端子金具１０と、端子金具１０などを組付可能なハウジング２０と、ノイズを低減または除去するためのフェライト４０と、フェライト４０を抜け止めするための抜け止め部材２９と、抜け止め部材２９をハウジング２０に対してロック可能なロック手段と、ハウジング２０に収容した端子金具１０などを保護するためのカバー５０とから構成される。このうち端子金具１０は、他の機器などに接続された電線Ｗの端末に設けられており、この電線Ｗと共に、信号が伝達される導電路を構成している。なお、以下ではハウジング２０に対する端子金具１０やフェライト４０の取り付け方向（図７の左方）を前方、抜き取り方向（図７の右方）を後方とし、また上下方向については図７を基準とする。
【００１６】
端子金具１０は、全体が側方から見て略「Ｌ」字型をなしており、図示しない相手端子が接続可能とされる端子接続部１１と、電線Ｗの端末に対して圧着接続される電線接続部１２とを屈曲形状の連結部１３により連結した構成とされる。端子接続部１１は、前後に開口した略箱型をなし、前方から相手端子が挿入可能とされるとともにその内部には相手端子に対して接続可能な接続片１１ａが設けられている。この端子接続部１１の周壁のうち下壁（接続片１１ａとは異なる側壁）には、片持ち状の係止片１４が切り起して形成されている。係止片１４は、上下方向、つまりハウジング２０に対する端子金具１０の挿抜方向に対して交差する方向へ弾性変形可能とされる。
【００１７】
電線接続部１２は、上下方向、つまり端子接続部１１の軸線方向と直交する向きに延びる形態とされ、電線Ｗの芯線部分にかしめ付けられる芯線圧着部１２ａと、電線Ｗの被覆部分にかしめ付けられる被覆圧着部１２ｂとを上下（端子接続部１１側とその反対側）に連結した構成とされる。芯線圧着部１２ａと被覆圧着部１２ｂは、共に対向する一対のかしめ片により構成される。連結部１３は、側方から見て略「Ｌ」字型をなし、その前端部が端子接続部１１の後端部に、下端部が電線接続部１２の上端部に連結されている。
【００１８】
ハウジング２０は、合成樹脂製とされ、全体が端子金具１０に合わせて略「Ｌ」字型をなしており、図示しない相手コネクタに対して嵌合可能な嵌合部２１と、カバー５０により押さえられる電線Ｗなどを受けるための受け部２２とを連結した構成とされる。嵌合部２１は、図１〜図３及び図７に示すように、大まかには後面側が開口した略箱型（略袋状）に形成されるとともに、その両外側面には、前方から嵌合される相手コネクタ（図示せず）を嵌合状態に保持するためのロックアーム２３が一対設けられている。
【００１９】
受け部２２は、上下方向、つまり嵌合部２１の軸線方向（相手コネクタとの嵌合方向）と直交する方向へ延びる形態とされるとともに、その上端前部が嵌合部２１の後端下部に対して連結されている。受け部２２には、電線Ｗや端子金具１０の電線接続部１２を個別に収容可能な収容凹部２４が後方へ開口する形態で一対、幅方向に並んで設けられている。収容凹部２４を構成する隔壁は、収容した電線Ｗや電線接続部１２よりも後方へ突出する大きさとされる。また収容凹部２４の下端部付近には、カバー５０との間で電線Ｗを挟み付けることで、外部に導出する電線Ｗに作用した張力を逃がすためのストレインリリーフ部２４ａが膨出形成されている。
【００２０】
そして、ハウジング２０の嵌合部２１には、フェライト４０が収容されるフェライト収容室２５が設けられている。このフェライト収容室２５は、後方へ開口するとともにその収容口２５ａを通してフェライト４０が着脱可能とされている。フェライト収容室２５の前壁２５ｂには、嵌合時に相手端子の進入を許容する相手端子挿通孔２６が一対、前後に貫通して設けられている。また前壁２５ｂのうち各相手端子挿通孔２６の周縁下部には、端子金具１０を取り外すのに用いる治具（図示せず）を挿入可能な治具挿入孔２７が一対、各相手端子挿通孔２６に連通する形態で形成されている。また嵌合部２１の後面におけるフェライト収容室２５を挟んだ両側部には、後述するカバー５０の撓み規制部５６の進入を許容する切り欠き部２８が一対形成されている。
【００２１】
ここで、フェライト４０について詳しく説明する。フェライト４０は、フェライト粉末を焼結させることで製造されており、図７及び図８に示すように、外形がフェライト収容室２５にすっぽりと収まる略ブロック状に形成されている。このフェライト４０には、端子金具１０を個別に収容可能な端子収容室４１が一対、幅方向に並んだ状態で設けられている。端子収容室４１は、フェライト４０を前後に貫通する形態とされるとともに、端子金具１０のうち端子接続部１１の外形に沿った形状に形成され、端子接続部１１をほぼ全長にわたって収容できるようになっている。言い換えると、フェライト４０は、両端子金具１０の端子接続部１１を全長・全周にわたって個別に取り囲むことができるよう断面略環状に形成されている。
【００２２】
端子収容室４１の内周面のうち端子金具１０の係止片１４と対向する面（下面）には、係止片１４の進入を許容する被係止溝４２が前方へ開口する形態で形成されており、被係止溝４２の後縁に対して係止片１４の後端部が係止されることで、端子金具１０の抜け止めが図られるようになっている。
【００２３】
フェライト４０をフェライト収容室２５内に収容した状態では、図１０及び図１１に示すように、両相手端子挿通孔２６がそれぞれ両端子収容室４１に連通するとともに、両相手端子挿通孔２６の周縁部（フェライト収容室２５の前壁２５ｂの一部）により端子収容室４１の前側の開口部の一部が塞がれる。またフェライト収容室２５の前壁２５ｂの両治具挿入孔２７が両被係止溝４２に対して連通（整合）することで、治具を被係止溝４２内へ挿入できるようになっている。
【００２４】
続いて、上記したフェライト４０を抜け止め状態に保持するための抜け止め部材２９について説明する。抜け止め部材２９は、図１〜図３及び図７に示すように、フェライト収容室２５の収容口２５ａ（後側の開口部分）のほぼ全域に宛われる大きさの略板状に形成されている。抜け止め部材２９には、端子金具１０を挿通可能な端子挿通孔３０が一対、前後に貫通して設けられている。この抜け止め部材２９は、薄肉状をなす一対のヒンジ３１によってハウジング２０に対して連結されるとともに、両ヒンジ３１を屈曲させることでハウジング２０に対して回動変位可能とされる。なおこの抜け止め部材２９は、ハウジング２０と同じ成形金型により樹脂成形されている。
【００２５】
詳しくは、両ヒンジ３１は、一端側が嵌合部２１の上面両側部に連結されるとともに、他端側が抜け止め部材２９の図７に示す下端（図１２では上端）両側部に連結されている。そして、この抜け止め部材２９は、フェライト収容室２５の収容口２５ａを開放するとともにフェライト４０の着脱を許容する退避位置（例えば図７）と、収容口２５ａの後側に配されて収容口２５ａを閉止するとともにフェライト４０を抜け止め状態に保持する保持位置（図１２）との間で回動されるようになっている。保持位置では、両端子挿通孔３０がフェライト４０の両端子収容室４１に連通（整合）されるとともに、抜け止め部材２９の前面のほぼ全域がフェライト４０の後面のほぼ全域に当接または近接した状態で対向して配されることにより、言い換えると抜け止め部材２９がフェライト４０のほぼ全域を後方（収容口２５ａ側）から覆うことにより、フェライト４０が抜け止め状態に保持される。
【００２６】
なお、図７では、退避位置としてヒンジ３１が真っ直ぐに延びた状態で抜け止め部材２９が嵌合部２１の上方に配された状態を示しているが、要は抜け止め部材２９が収容口２５ａを開放していればよいので、図７よりも抜け止め部材２９が左右に傾いた状態でも退避位置であると言える。
【００２７】
次に、抜け止め部材２９をハウジング２０に対して上記保持位置にロックするためのロック手段について説明する。ロック手段は、ハウジング２０側に設けられたロックアーム３２と、抜け止め部材２９側に設けられた被ロック部３３とから構成される。ロックアーム３２は、嵌合部２１の両切り欠き部２８の後面に一対設けられており、前後方向（フェライト４０の着脱方向、抜け止め部材２９の回動方向）に沿って延出する片持ち状のアーム部３４と、アーム部３４の先端部から内側へ張り出すロック爪部３５とから構成される。このうち、アーム部３４は、その内面がフェライト収容室２５の内側面とほぼ面一状をなすとともに、前端側を支点として幅方向（抜け止め部材２９の回動方向と交差する方向）へ弾性変形可能とされる。
【００２８】
一方、ロック爪部３５は、フェライト収容室２５側に突出するとともに、抜け止め部材２９の回動軌跡上に配されている。従って、抜け止め部材２９を退避位置から保持位置へ回動する際には、抜け止め部材２９の側縁部の一部に対してロック爪部３５が干渉されるようになっており、それに伴ってアーム部３４が外側へ弾性変形するとともにロック爪部３５が回動軌跡から退避されるようになっている。この抜け止め部材２９側の干渉部位が被ロック部３３とされ、保持位置ではロック爪部３５の前面がこの被ロック部３３の後面に対して係止されることで、抜け止め部材２９が保持位置にロックされるようになっている（図１２及び図１３参照）。また両切り欠き部２８におけるロックアーム３２の外側方の空間がロックアーム３２の弾性変形を許容する撓み空間３６とされている。
【００２９】
次に、カバー５０について詳細に説明する。このカバー５０は、図４〜図７に示すように、ハウジング２０の後面側に取り付けられるとともに、ハウジング２０の後面側の開口部分のほぼ全域を覆うことが可能なカバー本体５１を備える。このカバー本体５１は、断面略「Ｌ」字型に形成されており、上下方向に沿って延びる板状部分５１ａと、板状部分５１ａの上端部から前方へ突出する庇状部分５１ｂとから構成される。このうち、板状部分５１ａは、嵌合部２１や受け部２２の両収容凹部２４の後方への開口部分のほぼ全域を閉塞するとともに、端子金具１０のうち抜け止め部材２９から後方へ突出した部分や電線Ｗや抜け止め部材２９を後方から覆うことが可能とされる。庇状部分５１ｂは、端子金具１０のうち抜け止め部材２９から後方へ突出した部分や抜け止め部材２９を上方から覆うことが可能とされる。これにより、収容された電線Ｗや端子金具１０を外部に露出することなく保護できるようになっている。
【００３０】
続いて、カバー５０をハウジング２０に対して取付状態に保持するためのロック構造について説明する。カバー本体５１のうち、庇状部分５１ｂからはさらに前方へ延出する横長な第１ロック片５２が設けられている。一方、板状部分５１ａにおける下部両側端部からは、一対の縦長な第２ロック片５３が前方へ延出して設けられている。これに対し、ハウジング２０のうち、嵌合部２１の上面後端部には、第１ロック片５２が係止可能な第１被ロック部３７が上方へ突出して設けられている。一方、受け部２２の両外側面には、第２ロック片５３が係止可能な第２被ロック部３８が一対、側方へ突出して設けられている。第１ロック片５２は、上下方向に、第２ロック片５３は、横方向にそれぞれ弾性変形可能とされ、その内面には、各被ロック部３７，３８が進入可能なロック溝５４，５５がそれぞれ後方へ開口する形態で形成されている。各ロック溝５４，５５の前縁に対して各被ロック部３７，３８が係止されることで、カバー５０がハウジング２０に対して取付状態に保持されるようになっている（図１７及び図１８参照）。
【００３１】
そして、このカバー５０には、抜け止め部材２９を保持するロックアーム３２の弾性変形を規制可能な撓み規制部５６が設けられている。撓み規制部５６は、カバー本体５１における板状部分５１ａの上部両側端部（庇状部分５１ｂと第２ロック片５３との間の位置）から一対、前方へ突出する形態で形成されている。撓み規制部５６は、全体が正面から見て「コ」字型に形成されており、縦長な本体部５６ａと、本体部５６ａの内面上下両端部から内側へ張り出す一対の張出部５６ｂとから構成される。
【００３２】
撓み規制部５６は、カバー５０がハウジング２０に取り付けられると、切り欠き部２８内のほぼ全域に嵌合されるようになっており、それによりロックアーム３２の撓み空間３６内に進入されることで、ロックアーム３２が幅方向に沿って被ロック部３３から離間する方向、つまりロック解除方向へ弾性変形するのを規制できるようになっている。この状態では、撓み規制部５６のうち本体部５６ａがロックアーム３２の撓み空間３６に配されるとともに、両張出部５６ｂがロックアーム３２を上下から挟むようにして配されるようになっている（図１９及び図２０参照）。
【００３３】
本実施形態は以上のような構造であり、続いてその作用を説明する。製造場所においてコネクタを構成する各部品を製造したら、各部品を組付場所へ向けて搬送するのであるが、本実施形態では搬送前の段階においてハウジング２０に対してフェライト４０を一体的に組み付ける作業を行うようにしている。
【００３４】
具体的には、図７及び図８に示すように、抜け止め部材２９を退避位置としてフェライト収容室２５の収容口２５ａを開放した状態で、後方からフェライト４０を収容する。なおこの収容過程ではフェライト４０によって両ロックアーム３２が一旦弾性変形される。図１０及び図１１に示すように、フェライト４０がフェライト収容室２５の前壁２５ｂに突き当たる正規深さまで進入したところで、ヒンジ３１を屈曲させつつ抜け止め部材２９を保持位置側へ回動させる。回動過程では、抜け止め部材２９の両被ロック部３３の前縁により両ロック爪部３５が押圧されることで、両アーム部３４が外側へ開くようにして一旦弾性変形されるとともに両ロック爪部３５が回動軌跡上から退避する。
【００３５】
そして、抜け止め部材２９が図１０に示す状態からほぼ１８０度回動したところで、図１２〜図１４に示すように、抜け止め部材２９が両ロック爪部３５よりも前方の保持位置に達するとともに、両アーム部３４が復元して両ロック爪部３５が両被ロック部３３に対して係止される。これにより、抜け止め部材２９が保持位置から退避位置側へ回動不能な状態にロックされる。このとき、抜け止め部材２９は、その前面が嵌合部２１の後面に当接または近接した位置（フェライト収容室２５の収容口２５ａの直後位置）に配されるとともに、フェライト４０を抜け止め状態に保持する。この状態では、フェライト４０がハウジング２０及び抜け止め部材２９によってほぼ全周にわたって覆われている。
【００３６】
このようにしてフェライト４０を一体的に組み付けて保持した状態のハウジング２０を袋詰めするとともに組付場所へ向けて搬送するようにする。この搬送途中で何らかの衝撃が作用した場合でも、フェライト４０はその周りがハウジング２０及び抜け止め部材２９により覆われた状態で保持されているので、他のハウジング２０などがフェライト４０に対して直接に干渉するような事態が回避される。これにより、搬送時の衝撃によりフェライト４０が損傷を受けることが防止される。
【００３７】
続いて、組付場所における他の部品の組付作業を説明する。まず電線Ｗの端末に圧着接続された状態の両端子金具１０をハウジング２０に組み付ける作業を行う。端子金具１０の端子接続部１１を抜け止め部の端子挿通孔３０を通しつつフェライト４０の端子収容室４１内に挿入する。この挿入過程では、端子収容室４１の下面によって係止片１４が一旦弾性変形される。そして、端子接続部１１が正規深さまで挿入されたところで、図１５に示すように、係止片１４が被係止溝４２内に進入しつつ復元しその後端部が被係止溝４２の後縁に係止される。これにより、端子金具１０がフェライト４０及びハウジング２０に対して抜け止め状態に保持される。また端子金具１０は、フェライト収容室２５の前壁２５ｂによって前止まりされる。このとき、端子金具１０のうち連結部１３が抜け止め部の後方に突出した状態に配されるとともに、電線接続部１２及び電線Ｗが受け部２２の収容凹部２４内に収容される。
【００３８】
図１６に示すように、両端子金具１０を収容したら、続いてカバー５０をハウジング２０に組み付ける作業を行う。ハウジング２０の後方からカバー５０を取り付けると、第１ロック片５２が第１被ロック部３７に乗り上げて上方へ開くように弾性変形し、両第２ロック片５３が第２被ロック部３８に乗り上げて側方へ開くように弾性変形する。そして、カバー５０が正規位置まで押し込まれると、図１７及び図１８に示すように、各ロック片５２，５３が復元するとともにそのロック溝５４，５５内に各被ロック部３７，３８が進入してその前縁に対して係止される。この状態では、第１ロック片５２が嵌合部２１の上面側に、両第２ロック片５３が受け部２２の外側面に配されており、ハウジング２０が三方から抱きかかえられている。これにより、カバー５０がハウジング２０に対して取付状態に保持される。この取付状態では、ハウジング２０の後側にて露出していた端子金具１０、電線Ｗ、及び抜け止め部材２９（ヒンジ３１を含む）がカバー５０によってほぼ完全に覆われることでその保護が図られている。またカバー５０の各部位の前面がハウジング２０の後面に対して突き当たることで、カバー５０が前止まりされている。
【００３９】
そして、この取付状態では、図１９に示すように、カバー５０の両撓み規制部５６がハウジング２０の両切り欠き部２８内のほぼ全域に進入するとともに両ロックアーム３２の撓み空間３６を閉塞する。これにより、両ロックアーム３２が撓み空間３６内に退避するのが規制されるから、ロックアーム３２が被ロック部３３に対する係止状態を解除しつつ弾性変形する事態を防止することができる。しかも、図２０に示すように、撓み規制部５６のうち両張出部５６ｂがロックアーム３２を上下から挟むような位置に配されているから、ロックアーム３２が上下方向、つまりロック解除方向と直交する方向へ変位する事態をも規制することができる。これにより、振動などが作用しても抜け止め部材２９に対するロックアーム３２のロック状態が不用意に解除されるような事態を防止することができる。
【００４０】
以上説明したように本実施形態によれば、ハウジング２０にフェライト４０を収容するフェライト収容室２５を設けるとともに、ハウジング２０に対してロックされる抜け止め部材２９によってフェライト４０を収容状態に保持するようにしたから、フェライト４０を搬送する際にもハウジング２０によりフェライト４０を保護することができ、もって搬送に伴う衝撃によりフェライト４０が損傷するのを防止することができる。またコネクタの一部であるハウジング２０を利用してフェライト４０を保護しているので、仮にコネクタとは別途に設けた保護部材によりフェライトを保護するものと比較して、保護部材が不要な分だけ低コスト化を図ることができるとともに、搬送後にハウジング２０からフェライト４０を取り出す必要がないから作業性も良好となる。
【００４１】
しかも、抜け止め部材２９がヒンジ３１によってハウジング２０に対して連結されるとともに、フェライト収容室２５へのフェライト４０の着脱を許容する退避位置と、収容されたフェライト４０を抜け止めする保持位置との間で回動可能とされているから、組み付け作業時の作業性に優れる。
【００４２】
さらには、ハウジング２０に対する抜け止め部材２９のロック手段として、ハウジング２０に弾性変形可能なロックアーム３２を設けるとともに、抜け止め部材２９にロックアーム３２が係止可能な被ロック部３３を設けるようにし、且つハウジング２０に対して組み付けられるカバー５０には組み付けに伴ってロックアーム３２の撓み空間３６に進入してその弾性変形動作を規制する撓み規制部５６を設けるようにしたから、ロック状態が不用意に解除される事態を防止することができる。
その上、フェライト４０に端子金具１０の係止片１４が係止可能な被係止溝４２を設けることで、端子金具１０の抜け止めを図ることができる。
【００４３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、抜け止め部材がヒンジによりハウジングと一体成形されたものを例示したが、ハウジングとは別体の抜け止め部材を用いるようにしてもよい。
【００４４】
（２）上記した実施形態では、「保持手段」が抜け止め部材と、抜け止め部材をハウジングに対してロックするロック手段（ロックアーム及び被ロック部）とから構成される場合を示したが、例えばハウジングまたはフェライトのいずれか一方に設けられた弾性変形可能な保持片と、他方側に設けられるとともにフェライトが収容されるのに伴って保持片が係止可能とされる被保持部とから「保持手段」が構成されるものも本発明に含まれる。また上記した保持片及び被保持部以外の手段によりフェライトの保持を図るようにしてもよい。
【００４５】
（３）上記した実施形態では、「ロック手段」がハウジング側に設けたロックアームと、抜け止め部側に設けた被保持部とから構成されるものを例示したが、逆にロックアームを抜け止め部材側に、被ロック部をハウジング側に設けるようにしてもよい。またロックアーム及び被ロック部以外の手段により抜け止め部材のロックを図るようにしてもよい。
【００４６】
（４）上記した実施形態では、フェライトに端子金具に対する被係止溝を設けた場合を示したが、ハウジングに設けるようにしてもよい。また端子金具側に係止溝を設けて、フェライトまたはハウジング側に被係止片を設けるようにしてもよい。さらには係止片（被係止片）を片持ち状以外の形態としてもよい。
【００４７】
（５）上記した実施形態では、ハウジングの後面側を覆うカバーに撓み規制部を設けた場合を示したが、カバーとは別部品として撓み規制部材を設けるようにしてもよく、その場合はカバーを有さないコネクタにも適用可能である。
（６）上記した実施形態では、端子金具やハウジングがＬ字型に屈曲した形状のものを例示したが、真っ直ぐな形状のものにも本発明は適用可能である。
【００４８】
（７）上記した実施形態では、電線の端末に接続した端子金具を備えたコネクタを例示したが、電線に対して直接接続されない端子金具を備えたコネクタ（例えば従来技術の特許文献１にて示すタイプのコネクタ）にも本発明は適用可能である。逆に端子金具を有さないコネクタにも本発明は適用可能である。
（８）上記した実施形態では、「磁性体」としてフェライトを例示したが、フェライト以外の磁性体を用いたものも本発明に含まれる。
【図面の簡単な説明】
【００４９】
【図１】本発明の一実施形態に係るハウジングの正面図
【図２】ハウジングの背面図
【図３】ハウジングの側面図
【図４】カバーの正面図
【図５】カバーの背面図
【図６】カバーの側面図
【図７】コネクタの組み付け前の状態を示す図１及び図４のＡ−Ａ線断面図
【図８】コネクタの組み付け前の状態を示す図１及び図４のＢ−Ｂ線断面図
【図９】コネクタの組み付け前の状態を示す図１及び図４のＣ−Ｃ線断面図
【図１０】フェライト収容室にフェライトを収容した状態を示す図１及び図４のＡ−Ａ線断面図
【図１１】フェライト収容室にフェライトを収容した状態を示す図１及び図４のＢ−Ｂ線断面図
【図１２】抜け止め部材を保持位置まで回動した状態を示す図１及び図４のＡ−Ａ線断面図
【図１３】抜け止め部材を保持位置まで回動した状態を示す図１及び図４のＢ−Ｂ線断面図
【図１４】抜け止め部材を保持位置まで回動した状態を示す背面図
【図１５】端子金具を挿入した状態を示す図１及び図４のＡ−Ａ線断面図
【図１６】端子金具を挿入した状態を示す背面図
【図１７】カバーを取り付けた状態を示す図１及び図４のＡ−Ａ線断面図
【図１８】カバーを取り付けた状態を示す図１及び図４のＢ−Ｂ線断面図
【図１９】カバーを取り付けた状態を示す図１及び図４のＣ−Ｃ線断面図
【図２０】カバーを取り付けた状態を示す一部切欠背面図
【図２１】従来例の斜視図
【符号の説明】
【００５０】
１０…端子金具（導電路）
１４…係止片（係止部）
２０…ハウジング
２５…フェライト収容室（磁性体収容室）
２５ａ…収容口
２９…抜け止め部材（保持手段）
３１…ヒンジ
３２…ロックアーム（保持手段、ロック手段）
３３…被ロック部（ロック手段）
３６…撓み空間
４０…フェライト（磁性体）
４２…被係止溝（被係止部）
５０…カバー（撓み規制部材）
【図１】
2007005132.tif 000003
【図２】
2007005132.tif 000004
【図３】
2007005132.tif 000005
【図４】
2007005132.tif 000006
【図５】
2007005132.tif 000007
【図６】
2007005132.tif 000008
【図７】
2007005132.tif 000009
【図８】
2007005132.tif 000010
【図９】
2007005132.tif 000011
【図１０】
2007005132.tif 000012
【図１１】
2007005132.tif 000013
【図１２】
2007005132.tif 000014
【図１３】
2007005132.tif 000015
【図１４】
2007005132.tif 000016
【図１５】
2007005132.tif 000017
【図１６】
2007005132.tif 000018
【図１７】
2007005132.tif 000019
【図１８】
2007005132.tif 000020
【図１９】
2007005132.tif 000021
【図２０】
2007005132.tif 000022
【図２１】
2007005132.tif 000023